(57)【特許請求の範囲】
【請求項１】
前面開放形ケース本体の庫内に上下段に並ぶ商品陳列棚を備えた冷気循環式のオープンショーケースであり、そのケース本体の上部フロント側に設けたキャノピーにナイトカバーを装備し、該ナイトカバーを巻取位置から繰出してケース本体の前面開口部を覆うようにしたものにおいて、巻き取り位置から繰出した前記ナイトカバーの下端を上下段に並ぶ商品陳列棚の任意の商品陳列棚前縁にナイトカバーと商品陳列棚の前端との間に所要の導風間隙を確保できるように係止して該商品陳列棚の前面を覆うようにし、かつこの状態で庫内上部の冷気吹出口から吹き出した冷気流をナイトカバーの裏面側の導風間隙を沿って庫内下方に放流することを特徴とするオープンショーケース。
【請求項２】
請求項１に記載のオープンショーケースにおいて、ナイトカバーの下端に該カバーと同幅な衝立状の導風板を設けるとともに、該導風板の下端に角度調節機構を介して掛け金を連結し、該掛け金を商品陳列棚に係止したことを特徴とするオープンショーケース。
【請求項３】
請求項２に記載のオープンショーケースにおいて、導風板の板面に導風穴を開口したことを特徴とするオープンショーケース。
【請求項４】
請求項１ないし３のいずれか１項に記載のオープンショーケースにおいて、導風手段として、商品陳列棚の板面前部に棚幅方向に沿ってスリット状の導風穴を開口したことを特徴とするオープンショーケース。
【発明の詳細な説明】
【技術分野】
【０００１】
この発明は冷気循環式のオープンショーケースに関し、詳しくその庫内に装備したナイトカバーに係わる。
【背景技術】
【０００２】
周知のように、スーパーマーケットなどの店舗に据付けて使用する頭記のオープンショーケースは、省エネ対策としてケース本体の上部フロント側に設けたキャノピーに自動巻き取り式のナイトカバーを標準装備し、夜間，休日などの店舗の閉店時間帯に前記ナイトカバーを繰出してケース本体の前面開口部を覆い、外気熱が庫内に侵入するのを抑制するようにしている（例えば、特許文献１参照）。
【０００３】
次に、一般的な標準ケースに比べて背が低いショーケースを例に、そのショーケースの構成，およびナイトカバーの取付構造を図７に示す。図において、１は前面開放形のケース本体、１ａは断熱壁で作られた舟底部、１ｂは断熱背面壁、１ｃは断熱天井壁、２はケースの庫内に配した内箱の背面パネル、３，４は上下段に並べて背面パネル２の支柱に架設した商品陳列棚、５は舟底部１ａの上面に敷設したデッキパン、６はケース本体１の内側に沿って内箱との間に画成した冷気循環ダクト、７は冷気循環ダクト６の天井側前端部に開口した冷気吹出口、８は舟底部１ａのフロント側に開口した冷気吸込口、９は舟底部１ａの内部に配置した送風ファン、１０は冷却器（冷凍機のエバポレータ）、１１はケース本体１の天井部から前方に突き出して設けたキャノピー、１２はキャノピー１１の内側に設けた庫内照明灯（蛍光灯）、１３はナイトカバー、１３ａはナイトカバー１３の先端に取付けた把手兼用の掛け金である。ここで、ナイトカバー１３はショーケースの間口に対応した横幅を有する遮熱性のシートであり、冷気吹出口７の外側に並べてキャノピー１１の内側に設置したカバー巻取／繰出装置に巻き付け、ここから繰り出してケース本体１の前面開口部に引き下ろすように設置されている。
【０００４】
上記の構成で、ショーケースの保冷運転時には図中の矢印Ｐで表すように冷気が循環し、ケース本体１の前面開口部には冷気吹出口７から冷気吸込口８に向けて冷気エアカーテンを吹き出し形成して外気の庫内侵入を防ぐとともに、庫内の商品陳列棚３，４，およびデッキパン５に陳列した商品（不図示）を保冷することは周知の通りである。
【０００５】
ここで、前記ナイトカバー１３は、通常店舗の営業中は巻取／繰出装置に巻き取ってキャノピー１１の内側に格納しておき、夜間，休日などの店舗の閉店時には図中に鎖線で表すように繰出して引き下ろした上で、その先端の掛け金３ａを舟底部１ａの前端上部に設けたフロントキャップ１４に引っ掛けてケース本体１の前面開口部を覆い、この状態で庫内と庫外との間を熱遮蔽して省エネ効果を発揮するようにしている。
【０００６】
一方、前記したナイトカバー１３とは別に、天井側の冷気吹出口７の内側（庫内側）にナイトカバー１３と同様な自動巻き取り式のカバーを設けておき、店舗の営業間中にショーケースの庫内上段側に並ぶ商品陳列棚３、あるいは商品陳列棚３と４が空の状態となった場合、あるいは外部からショーケースに補充した常温状態の商品を一纏めにストックして予冷する場合に、前記カバーを繰出して一部の商品陳列棚の前面を覆うようにしたオープンショーケースも知られている（例えば、特許文献２参照）。
【先行技術文献】
【特許文献】
【０００７】
【特許文献１】特開２００３−１１１６５１号公報（図４）
【特許文献２】特開平１１−３７６３７号公報
【発明の概要】
【発明が解決しようとする課題】
【０００８】
ところで、先記した特許文献２のようにナイトカバーと別個に庫内側（冷気吹出口の内側）に指定した商品陳列棚の前面を覆うカバーを設けた従来構造では次記のような課題が残る。すなわち、
（１）２組の自動巻き取り式カバーを用意してケース本体の内部に組み付けるために、ショーケースの部品点数，組立工数が増してコスト高となる。
（２）しかも，冷気吹出口の内側（庫内側）に配置したカバーは、このカバーを繰出した位置にセットしても、冷気吹出口からケース本体の前面開口部に吹き出すエアカーテンの冷気流はカバーの外側を流れて庫外側の外気に接触する。このために、カバーを引き下ろしてもエアカーテンから侵入する外気熱の熱負荷が減少することはなく、店舗の営業中に繰り出したカバーによる高い省エネ効果は期待できない。
【０００９】
この発明は上記の点に鑑みなされたものであり、その目的は標準装備のナイトカバーを利用し、ケース本体の前面開口部に向けて冷気吹出口から吹き出した冷気エアカーテンの流れを阻害することなしに、庫内の上下段に並ぶ商品陳列棚の前面をナイトカバーで覆うことができ、併せてエアカーテンから侵入する外気熱を低減して省エネ効果の向上が図れるように改良したオープンショーケースを提供することにある。
【課題を解決するための手段】
【００１０】
上記目的を達成するために、この発明によれば、前面開放形ケース本体の庫内に上下段に並ぶ商品陳列棚を備えた冷気循環式のオープンショーケースであり、そのケース本体の上部フロント側に設けたキャノピーにナイトカバーを装備し、該ナイトカバーを巻取位置から繰出してケース本体の前面開口部を覆うようにしたものにおいて、巻き取り位置から繰出した前記ナイトカバーの下端を上下段に並ぶ商品陳列棚の任意の商品陳列棚前縁にナイトカバーと商品陳列棚の前端との間に所要の導風間隙を確保できるように係止して該商品陳列棚の前面を覆うようにし、かつこの状態で庫内上部の冷気吹出口から吹き出した冷気流をナイトカバーの裏面側の導風間隙を沿って庫内下方に放流することを特徴とする。
上記オープンショーケースにおいて、ナイトカバーの下端に該カバーと同幅な衝立状の導風板を設けるとともに、該導風板の下端に角度調節機構を介して掛け金を連結し、該掛け金を商品陳列棚に係止したことを特徴とし、しかも、導風板の板面に導風穴を開口したことを特徴とする。
また、導風手段として、商品陳列棚の板面前部に棚幅方向に沿ってスリット状の導風穴を開口したことを特徴とする。
【発明の効果】
【００１１】
上記構成によれば、庫内の上下段に並ぶ商品陳列棚を選択してその棚の前縁に巻取り位置から繰出したナイトカバーの掛け金を係止した状態では、冷気循環ダクトの冷気吹出口から庫内前面の開口部に向けて斜め下方に吹き出した冷気流がナイトカバーの裏面側に沿って流下した後、ナイトカバーの掛け金を介して商品陳列棚との間に確保した間隙、あるいは商品陳列棚の前部側に開口した導風穴を通じて庫内下方に流下して冷気吸込口に吸い込まれる。これにより、ナイトカバーの繰出し位置より下方の庫内前面にエアカーテンを形成しつつ指定した商品陳列棚の前面をナイトカバーで覆うことができる。
【００１２】
しかも、この場合にナイトカバーの繰出し範囲では、カバーの裏面側に沿って流れる冷気流は庫外側の外気と直接触れることがなく、かつ庫内前面がナイトカバーで覆われるため、エアカーテンを通して庫内に侵入する外気熱の熱負荷を低く抑えてトータル的なショーケースの省エネ効果向上が図れる。
【００１３】
また、ナイトカバーの先端側に角度調節機構を介して掛け金を設けたことにより、繰り出したナイトカバーの先端から掛け金が庫内側に突き出すように角度にセットして商品陳列棚の前縁に係止することで、ナイトカバーと商品陳列棚の前縁との間に冷気流の導風間隙を確保できる。また、店舗の閉店時にナイトカバーを舟底部のフロントキャップに係止してケース本体の開口部全面を覆う場合には、掛け金をナイトカバーの延長線上に沿って延ばすように角度調整することで、フロントキャップとの間に不要な隙間を残さずにナイトカバーを係止保持できる。
【００１４】
さらに、ナイトカバーの下端側に衝立状の導風板を設けてその先端に掛け金を取付けた構造により、掛け金を商品陳列棚の前端に係止した状態では商品陳列棚，陳列商品との干渉を避けて導風板との間に導風間隙を確保し、上方から流下する冷気流を庫内の下方に向けて円滑に導風することができ、またこの導風板の板面に導風穴を開口しておくことで、この導風穴を通じてナイトカバーの裏面側から庫内下方に向けて冷気流を斜め前方の方向に導風できる。
【００１５】
また、導風手段として、商品陳列棚の棚面に導風穴を形成しておくことにより、ナイトカバーの下端を商品陳列棚の前縁に直接係止して保持することが可能となる。
【図面の簡単な説明】
【００１６】
【図１】この発明の実施例１によるナイトカバーを商品陳列棚の前端に係止する取付構造を表す図であって、（ａ）はショーケース上部の側視断面図、（ｂ）はナイトカバーの先端部分の斜視図である。
【図２】巻取り位置から繰り出したナイトカバーで庫内上段側の商品陳列棚の前面を覆った状態での庫内の冷気循環経路を表したショーケース全体の側視断面図である。
【図３】巻取り位置から繰り出したナイトカバーで上下二段の商品陳列棚の前面を覆った状態での庫内の冷気循環経路を表したショーケース全体の側視断面図である。
【図４】巻取り位置から繰り出したナイトカバーでケース本体の前面開口部を覆った状態での庫内の冷気循環経路を表したショーケース全体の側視断面図である。
【図５】図１（ｂ）に示した導風板に対応する異なる実施例２の斜視図である。
【図６】この発明の実施例３による商品陳列棚へのナイトカバーの取付構造図であって、（ａ）は繰り出したナイトカバーを商品陳列棚に係止保持した状態の側視断面図、（ｂ）は（ａ）における商品陳列棚の前部構造を表す斜視図である。
【図７】ナイトカバーを装備したこの発明の実施対象となる冷気循環式ショーケースの構成断面図である。
【発明を実施するための形態】
【００１７】
以下、この発明の実施の形態を図１〜図６に示す実施例に基づいて説明する。なお、各実施例の図中で図７に対応する部材には同じ符号を付してその詳細な説明は省略する。
【実施例１】
【００１８】
まず、この発明の請求項１〜３に係わる実施例１の構造，並びにナイトカバーの使用状態を図１〜４で説明する。
すなわち、この実施例においては、ナイトカバー１３の先端に該カバーと同じ横幅の導風板（例えば樹脂板）１３ｂを結合した上で、その導風板１３ｂの下端中央部位に角度調節機構１３ｃを介して把手を兼ねた掛け金１３ａが取付けられている。ここで、角度調節機構１３ｃは、例えば蝶番式継手でその開き角度を段階的に調整セットできるようにした構造である。また、掛け金１３ａの突出し長さＬ（図１（ｂ）参照）は、後記のように商品陳列棚に引っ掛けた状態でナイトカバー１３と商品陳列棚の前端との間に所要の導風間隙１５を確保できるように設定しておく。なお、商品陳列棚３の前端にはタグフェンス３ａ，およびその下端側にナイトカバー１３を掛け止めするフック部３ｂを備えている。
【００１９】
次に、上記ナイトカバー１３の異なる使用状態を図２〜図４に示す。まず、店舗の営業時間中に巻取り位置から繰出したナイトカバー１３を庫内の上段位置に並ぶ商品陳列棚３に係止して該棚の前面を覆う場合には、図２で示すように先記の掛け金１３ａを庫内側に向けて導風板１３ｂと直角方向に突き出すようにセットした上で、ナイトカバー１３を繰出して下方に引き下ろし、この位置で掛け金１３ａを商品陳列棚３の前端に設けたフック３ｂに引っ掛けて係止する。これにより、掛け金１３ａを介してナイトカバー１３の導風板１３ｂと商品陳列棚３のタグフェンス３ａとの間に導風間隙１５が確保される。
【００２０】
この状態では、図示矢印Ｐで表すように冷気吹出口７から吹き出した冷気流はナイトカバー１３の裏面側に沿って下方に流れた後、ナイトカバー１３の導風板１３ｂと商品陳列棚３のタグフェンス３ａとの間の導風間隙１５を通じて庫内の下方に放流し、その前面域にエアカーテンを形成する。しかもナイトカバー１３の繰出し範囲では、カバーの裏面側を通る冷気流は外気に接触することがないために、この範囲では冷気流への外気熱の侵入はなく、これによりトータル的にエアカーテンより侵入する外気熱の熱負荷が低減し、特許文献２の従来方式と比べて省エネ効果が向上する。
【００２１】
図３はナイトカバー１３の掛け金１３ａを庫内の下段側に並ぶ商品陳列棚４に引っ掛けて商品陳列棚３，４の前面を覆った使用状態を表しており、図２で述べたと同様に冷気吹出口７から吹き出した冷気流Ｐはナイトカバー１３の裏面側に沿って流下した後、デッキパン５の前面域に放流してエアカーテンを形成する。この状態では、ナイトカバー１３の繰出し長さが増えた分だけエアカーテンより侵入する外気熱は図２の状態よりもさらに減少して省エネ効果が高くなる。
【００２２】
図４は店舗の閉店時にナイトカバー１３を舟底部１ａのフロントキャップ１４に引っ掛けてケース本体１の前面開口部の全域を覆った使用状態である。この場合には、あらかじめナイトカバー１３の掛け金１３ａをカバーの延長線上に並ぶように開いた状態に角度を調整しておく。これにより、ナイトカバー１３の下端とケース本体１のフロントキャップ１４との間に不要な隙間を残さずに掛け止めすることができる。
【００２３】
なお、ナイトカバー１３の掛け金１３ａを商品陳列棚３，４の前端に固定する手段として、図示例のフック掛けに代えて、磁石を利用して吸着保持させるようにしてもよい。
【実施例２】
【００２４】
次に、この発明の請求項４に係わる実施例の構造を図５に示す。この実施例では、先記した導風板１３ｂの横幅全域に亙り、その板面に導風穴１３ｂ−１を開口しておく。これにより、ナイトカバー１３を庫内の商品陳列棚３あるいは４に係止した状態でナイトカバー１３の裏面側に沿って流れてきた冷気流は、図示のように導風穴１３ｂ−１を通じて斜め前方に流下する。
【００２５】
これにより、図７に示したラウンド形ショーケースのように、庫内における上段側の商品陳列棚３と下段側の商品陳列棚４との間に奥行き方向の大きな段差があり、かつナイトカバー１３の巻取り／繰出し装置を備えたキャノピー１１が舟底部１ａのフロント側より奥に引っ込んでいる場合でも、冷気吹出口７から冷気吸込口８に向けて吹き出す冷気流の流れの方向を途中で大きく変化させることなく導風することが可能となる。
【実施例３】
【００２６】
次に、この発明の請求項５に係わる実施例の構造を図６（ａ），（ｂ）に示す。この実施例では、繰出したナイトカバー１３を商品陳列棚３に掛け止めした状態で、カバーと棚の間に冷気流の導風間隙を確保する手段として、図示のように商品陳列棚３の前端部側に横幅方向にスリット状の導風穴３ｃを開口しておく。なお、３ｄは導風穴３ｃの内側に起立形成した陳列商品の落下防止用フェンスである。
【００２７】
これにより、先記の実施例１で述べたようにナイトカバー１３の掛け金１３ａに角度調節機構１３ｃを設ける必要なく、図６（ａ）のように掛け金１３ａを商品陳列棚３のタグフェンス３ａに引っ掛けるだけで、ナイトカバー１３の裏面側に沿って上方から流れて来た冷気流Ｐを、前記導風穴３ｃを経由して庫内の下方側に導風させることができる。
【符号の説明】
【００２８】
１：ケース本体
１ａ：舟底部
２：内箱背面パネル
３：上段側の商品陳列棚
４：下段側の商品陳列棚
５：デッキパン
６：冷気循環ダクト
７：冷気吹出口
８：冷気吸込口
１１：キャノピー
１３：ナイトカバー
１３ａ：掛け金
１３ｂ：導風板
１３ｃ：角度調節機構
１４：フロントキャップ
１５：導風間隙
【図１】
0005531574.tif 000002
【図２】
0005531574.tif 000003
【図３】
0005531574.tif 000004
【図４】
0005531574.tif 000005
【図５】
0005531574.tif 000006
【図６】
0005531574.tif 000007
【図７】
0005531574.tif 000008